(57)【特許請求の範囲】
【請求項１】
光ディスクにアクセスするピックアップユニットを保持した基台を、シャーシに互いに平行に配設された主軸と副軸に係合させて、ねじ軸からなる前記主軸を駆動して前記光ディスクの径方向に移動させる光ディスク装置であって、
前記主軸の終端に前記基台が主軸の端部に移動した状態で前記基台の側壁に当接して衝突を緩衝する緩衝体を設け、
前記副軸の終端に前記基台が主軸の前記端部に移動した状態で先端が前記基台の側壁に当接して衝突を緩衝する樹脂製の板バネを設け、
前記緩衝体と前記板バネとで装置本体が衝撃を受けたときの衝撃レベルを緩衝するとともに、
前記板バネの基端部には、前記板バネの先端部が規定以上に弾性変形した状態で前記基台の側壁に当接して前記板バネの先端の弾性変形を規制する規制壁を形成した
光ディスク装置。
【請求項２】
前記板バネをシャーシにアウトサート成形して形成した
請求項１記載の光ディスク装置。
【請求項３】
前記板バネと前記基台の側壁との当接位置が、前記ピックアップユニットと基台とからなる移動体の重心を通る線上に位置するよう構成した
請求項１記載の光ディスク装置。
【発明の詳細な説明】
【０００１】
【発明の属する技術分野】
本発明は、光ディスク装置に関するものである。
【０００２】
【従来の技術】
近年、光ディスクを記録媒体としてピックアップユニットにより読み取り再生する光ディスク装置の小型化、高性能化が進んでおり、携帯用の光ディスク装置としてミニディスク（以下、ＭＤと称す）を用いた携帯用ＭＤプレーヤーが一般的に普及している。
【０００３】
以下、従来の光ディスク装置について、特開平１１−９６７４７号公報に開示された携帯用ＭＤプレーヤーを例に挙げ、図６と図７に基づいて説明する。なお、図６（ａ）は携帯用ＭＤプレーヤーの上蓋１６ａを開放した状態、図６（ｂ）は上蓋１６ａを閉めた状態をそれぞれ示す。
【０００４】
携帯用ＭＤプレーヤーの外装ケース１６は、開閉可能な上蓋１６ａとその上蓋１６ａを回動可能に保持する下ケース１６ｂとからなる。
光ディスク１０には音楽情報等の各種の情報が記録されており、ＭＤケース１８に収納された状態で上蓋１６ａを開放した外装ケース１６に挿入され、下ケース１６ｂのほぼ中央に配置されたスピンドルモータ１４のターンテーブル１７に光ディスク１０が載置されるよう装着され、上蓋１６ａが閉められる。
【０００５】
下ケース１６ｂの内部には、レンズやサスペンションワイヤなどの光学部品１１を保持したピックアップユニット９が基台８に保持されており、基台８はシャーシ１に互いに平行に配設された主軸としての送りシャフト１２と副軸としてのガイドリブ２に係合している。
【０００６】
そして、スピンドルモータ１４により光ディスク１０が回転駆動すると、ねじ軸からなる送りシャフト１２がピックアップユニット９を光ディスク１０の径方向（矢印Ｘ方向またはＹ方向）へ駆動して、光ディスク１０へアクセスするよう構成されている。
【０００７】
なお、下ケース１６ｂの内部には、送りシャフト１２などからなる送り機構１３の下部に光ディスク１０の情報の再生に必要な電気部品および電気回路が配設されている。１９はガム型電池である。
【０００８】
上記のように構成された携帯用ＭＤプレーヤーでは、ピックアップユニット９が光ディスク１０の径方向に移動しても、光学部品１１のレンズの焦点距離が光ディスク１０の記録面に合うようにピックアップユニット９と光ディスク１０の相対距離を調整しているため、光ディスク１０の記録面の情報を読み取って音楽情報の再生が行える。
【０００９】
【発明が解決しようとする課題】
しかしながら、上記従来の携帯型のＭＤプレーヤーでは、その使用時にユーザが装置本体を落下したり、振動を与えることがあり、ピックアップユニット９が径方向への通常の可動範囲を超えて移動して、シャーシ１の内壁１ａ、１ｂに衝突することがある。
【００１０】
その結果、ピックアップユニット９には、例えば光学部品１１を構成するレンズの割れや欠け、あるいはサスペンションワイヤの曲がりなどの劣化が生じ、光ディスク１０の情報を正確に読み取ることができなくなるという問題がある。
【００１１】
本発明は前記問題点を解決し、装置本体が衝撃を受けてもピックアップユニットの劣化の低減が図れる光ディスク装置を提供することを目的とする。
【００１２】
【課題を解決するための手段】
本発明の光ディスク装置は、主軸の終端と副軸の終端にピックアップユニットが径方向への通常の移動範囲を超えた時の劣化を防止する緩衝体と板バネとを設けたことを特徴とする。
【００１３】
この本発明によると、落下などの激しい衝撃を受けても緩衝体と板バネによって衝撃レベルを低減して、ピックアップユニットの劣化を低減できる光ディスク装置を実現できる。
【００１４】
【発明の実施の形態】
本発明の請求項１記載の光ディスク装置は、光ディスクにアクセスするピックアップユニットを保持した基台を、シャーシに互いに平行に配設された主軸と副軸に係合させて、ねじ軸からなる前記主軸を駆動して前記光ディスクの径方向に移動させる光ディスク装置であって、前記主軸の終端に前記基台が主軸の端部に移動した状態で前記基台の側壁に当接して衝突を緩衝する緩衝体を設け、前記副軸の終端に前記基台が主軸の前記端部に移動した状態で先端が前記基台の側壁に当接して衝突を緩衝する樹脂製の板バネを設け、前記緩衝体と前記板バネとで装置本体が衝撃を受けたときの衝撃レベルを緩衝するとともに、前記板バネの基端部には、前記板バネの先端部が規定以上に弾性変形した状態で前記基台の側壁に当接して前記板バネの先端の弾性変形を規制する規制壁を形成したことを特徴とする。
【００１５】
この構成によると、落下などの激しい衝撃を受けても緩衝体と板バネによって衝撃レベルを低減して、ピックアップユニットの劣化を低減できる。
本発明の請求項２記載の光ディスク装置は、請求項１において、前記板バネをシャーシにアウトサート成形して形成したことを特徴とする。
【００１６】
この構成によると、信頼性の高い光ディスク装置が容易に実現できる。
本発明の請求項３記載の光ディスク装置は、請求項１において、前記板バネと前記基台の側壁との当接位置が、前記ピックアップユニットと基台とからなる移動体の重心を通る線上に位置するよう構成したことを特徴とする。
【００１７】
この構成によると、基台の側壁と板バネとがローリングなどの余分な動きをすることなく当接するため、ピックアップユニットの劣化や破損を低減できる。
以下、本発明の光ディスク装置として携帯用ＭＤプレーヤーを例に挙げ、具体的な実施の形態に基づいて図１〜図５を用いて説明する。
【００１８】
なお、上記従来例を示す図６，図７と同様の構成をなすものには同一の符号を付けて説明する。
（実施の形態）
図１は、組み立てられた携帯用ＭＤプレーヤーのシャーシの平面図を示し、図２は、シャーシの裏面側の斜視図を示す。
【００１９】
上記従来例を示す図６，図７と同様に構成された光ディスク装置において、この（実施の形態）では、落下などの衝撃によるピックアップユニット９の劣化を低減するために、ピックアップユニット９の通常の移動範囲の外部に、衝撃を緩衝する緩衝体７と板バネ６が設けられている。
【００２０】
詳細には、光ディスクへのアクセス時には、ピックアップユニット９は光ディスクの情報を読みとれる最内周側の位置Ｒ１から、破線Ａで示す光ディスクの情報を読みとれる最外周側の位置Ｒ２まで、光ディスクの径方向に沿って駆動するよう構成されている。
【００２１】
この通常の移動範囲Ｒ１−Ｒ２のＲ１よりも内側の領域には、主軸としての送りシャフト１２の終端に緩衝体７が設けられており、副軸としてのガイドリブ２の終端に樹脂製の板バネ６が設けられている。
【００２２】
図３と図４に示すように、緩衝体７としてはここでは緩衝ゴムが使用されており、送りシャフト１２の端部に挿入されている。
緩衝体７が設けられた送りシャフト１２は、基台８の穴８ｃに挿入されてシャーシ１に設けられた軸受け３ｂにて保持され、さらにシャーシ１の中央部に設けられた軸受け３ａと押え４により保持されている。また、送りシャフト１２の一端にはギア１５が設けられており、送り機構（図示せず）により駆動力を受ける構成となっており、回転可能な状態でシャーシ１に保持されている。
【００２３】
上記のように構成された送りシャフト１２の溝部には、基台８の下部に配置されたバネ材からなるナット板５の先端部５ａが係合している。
一方、ガイドリブ２の終端に設けられた樹脂製の板バネ６は、例えば落下などにより基台８が衝突した際にその衝撃を緩衝するよう、その先端部６ｂはピックアップユニット９の移動方向すなわち光ディスクの径方向へたわみやすい形状となっている。また、基端部は先端部６ｂが規定以上に弾性変形した状態となった際に板バネ６の折れや破損を防止するために、基台８の側壁８ａに当接して先端部６ｂの弾性変形を規制する規制壁６ａとなっている。
【００２４】
上記のように構成された緩衝体７と板バネ６とは、ピックアップユニット９がＲ１の位置にある時に、基台８の側壁８ａと緩衝体７との間に隙間ｄ１が形成され、基台８の側壁８ａと板バネ６の先端部６ｂとの間に隙間ｄ２が設けられ、隙間ｄ１と隙間ｄ２とがほぼ同じ大きさとなるよう配置されている。
【００２５】
また、基台８の側壁８ａと規制壁６ａとの間には、隙間ｄ１，ｄ２よりも大きな隙間ｄ３が形成されるよう配置されている。
なお、板バネ６の厚みｄ４は基台８の厚みｄ５とほぼ同じ厚みとなっている。
【００２６】
以下、上記のように構成された携帯用ＭＤプレーヤーを、例えばユーザの不注意により矢印Ｅ方向に落下した場合を例に挙げて説明する。
図５に示すように、ピックアップユニット９が通常の移動範囲Ｒ１−Ｒ２を移動している場合には、板バネ６の先端部６ｂは、破線で示す位置にある。
【００２７】
しかし、落下などにより大きな衝撃が加わると、ナット板５の先端部５ａと送りシャフト１２の溝部との係合が外れてしまう。ナット板５はバネ材で構成されているため、送りシャフト１２の溝部を乗り上げてもナット板５自身の破壊は発生しないが、送りシャフト１２が回転すればナット板５の先端部５ａが送りシャフト１２の溝部に係合され、ピックアップユニット９は矢印“Ｅ”方向へと移動して、通常の移動範囲Ｒ１−Ｒ２を超えてＲ１よりも内側の領域に移動する。
【００２８】
その結果、基台８の側壁８ａと緩衝体７との隙間ｄ１および基台８の側壁８ａと板バネ６の先端部６ｂとの隙間ｄ２がなくなり、上記従来の携帯用ＭＤプレーヤーでは、ピックアップユニット９を保持する基台８がシャーシ１と衝突してピックアップユニット９の破壊や劣化が生じていた。
【００２９】
しかし、この（実施の形態）における携帯用ＭＤプレーヤーでは、ピックアップユニット９がＲ１の位置よりも内周側に移動すると、ピックアップユニット９を保持する基台８が緩衝体７と当接するため、装置本体が受ける衝撃レベルを緩衝できる。
【００３０】
また、破線で示す状態の板バネ６の先端部６ｂは、基台８の側壁８ａに当接すると実線で示す状態に弾性変形して、同様にその衝撃レベルを緩衝する。
このとき、板バネ６の厚みｄ４は基台８の厚みｄ５とほぼ同じ厚みに構成されているため、板バネ６の先端部はターンテーブル１７の面と平行でかつピックアップユニット９と基台８とからなる移動体の重心を通る線上に位置し、基台８の側壁８ａと板バネ６とはローリングなど余分な動きをすることなくその衝撃レベルを緩衝でき、ピックアップユニット９の劣化や破損を低減できる。
【００３１】
また、さらに激しい衝撃が加わり板バネ６の先端部６ｂが規定以上に弾性変形した状態になった場合には、板バネ６の基端部には規制壁６ａが形成されており、しかも基台８の側壁８ａと規制壁６ａとの間の隙間ｄ３は隙間ｄ１，ｄ２よりも大きく設定されているため、基台８の側壁８ａは規制壁６ａに当接して板バネ６の折れや破損を低減できる。
【００３２】
従って、ユーザの不注意などによる落下など、携帯用ＭＤプレーヤーに繰り返し激しい衝撃が加わっても、上記のように装置全体に加わる衝撃レベルを低減してピックアップユニット９の破損や劣化を低減でき、信頼性の高い光ディスク装置を実現できる。
【００３３】
なお、上記説明では、ピックアップユニット９が通常の移動範囲Ｒ１−Ｒ２を超えてＲ１よりも内側へ移動する場合について説明したが、本発明はこれに限定されるものではなく、Ｒ２よりも外側へ移動する場合についても同様の構成とすることができる。
【００３４】
また、上記説明では、板バネ６をガイドリブ２を介してシャーシ１に取付けるよう構成したが、板バネ６をシャーシ１にアウトサート成形すると、位置精度が向上するとともに別部品を取り付ける作業も必要なくなるため、生産効率の向上が図れる。
【００３５】
また、上記説明では、ピックアップユニット９がＲ１の位置にあるときに、基台８と緩衝ゴム７との隙間ｄ１と基台８と板バネ６の先端部６ｂとの隙間ｄ２とをほぼ同じ大きさとしたが、隙間ｄ１と隙間ｄ２とは必ずしも同じ大きさとする必要はない。しかし、同位置における基台８と板バネ６の先端部６ｂとの隙間ｄ１よりも、基台８と規制壁６ａとの隙間ｄ３のほうを大きくすることが、上記実施例の効果が得られるためには必要である。
【００３６】
【発明の効果】
以上のように本発明の光ディスク装置によると、主軸の終端に緩衝体を設け、副軸の終端に樹脂製の板バネを設けることで、落下などの衝撃などによりピックアップユニットが通常の移動範囲を外れたとしても、ピックアップユニットを保持する基台はこの緩衝体と板バネに当接することで、装置全体が受ける衝撃レベルを低減して、ピックアップユニットの破損や劣化を低減できる。また、板バネの基端部には先端部の弾性変形を規制する規制壁を形成しているため、さらに大きな衝撃が加わっても基台の別の箇所が規制壁に当接するため、板バネの破損や劣化を低減できる。
【図面の簡単な説明】
【図１】本発明の（実施の形態）における組み立て後のシャーシの正面図
【図２】図１の裏面側のシャーシの斜視図
【図３】図１のＴ１−Ｔ２線に沿う断面図
【図４】図１のＳ１−Ｓ２線に沿う断面図
【図５】図１の要部拡大図
【図６】従来の携帯用ＭＤプレーヤの蓋を開けた状態と閉めた状態の断面図
【図７】従来例の組み立て後のシャーシの斜視図
【符号の説明】
１    第１の実施例のシャーシ
６    板バネ
６ａ    記載壁
７    緩衝ゴム
８    基台
９    ピックアップユニット
１０    光ディスク
１１    光学部品
１２    送りシャフト
【図１】
0004141085.tif 000002
【図２】
0004141085.tif 000003
【図３】
0004141085.tif 000004
【図４】
0004141085.tif 000005
【図５】
0004141085.tif 000006
【図６】
0004141085.tif 000007
【図７】
0004141085.tif 000008